(57)【要約】【課題】容易に、かつ、安全に操作することができる弁装置およびその操作方法を提供する。【解決手段】  弁棒４の反通路８側端部に取り付けられた補助ハンドル１０の反通路８側端面に、ハンドル９を反通路８側端面に非分離に取付固定した中間部１１を嵌合する。弁装置１は、補助ハンドル１０の差込孔２０に、中間部１１に差し込まれた差込軸部１２の管路側端面１２ａを差し込み、これと同時に、補助ハンドル１０の反通路８側端面に設けた突状部１３を、中間部１１の通路８側端面に形成した凹溝１４に嵌合することにより、中間部１１を補助ハンドル１０に嵌合し、さらに、ハンドル９を回転させて、この回転力を中間部１１および補助ハンドル１０を介して弁棒４に伝達することにより、弁棒４を回転させて、弁体５を弁棒４と平行な方向に移動させることにより、弁体５を開閉する。【選択図】    図１
2009299732.tif 000002
【特許請求の範囲】
【請求項１】
流体の通路を遮断可能に配設された弁体と、その弁体を一端部に有する弁棒と、その弁棒の他端部に取り付けられ、弁棒と一体回転する補助操作部とを備えた弁装置であって、
前記補助操作部に、反通路側に延びて前記弁棒を実質的に延長し、補助操作部と一体回転する中間部が取り付けられ、その中間部の先端に弁体操作部が設けられ、前記弁体操作部の回転力が、前記補助操作部および前記中間部を介して弁棒に伝達されて、前記弁体が弁棒と平行な方向に移動するようにしたことを特徴とする弁装置。
【請求項２】
前記補助操作部を環状のハンドルとした請求項１に記載の弁装置。
【請求項３】
前記弁体操作部を環状のハンドルとした請求項１又は２に記載の弁装置。
【請求項４】
前記補助操作部と中間部が凹凸嵌合されている請求項１〜３のいずれか一項に記載の弁装置。
【請求項５】
流体の通路を遮って配設された弁体と、その弁体を一端部に有する弁棒と、その弁棒の他端部に取り付けられ、弁棒と一体回転する補助操作部とを備えた弁装置の操作方法であって、
前記補助操作部に、反通路側に延びて前記弁棒を実質的に延長し、補助操作部と一体回転する中間部を取り付け、その中間部の先端に弁体操作部を設け、この弁体操作部を回転させて、その回転力を前記中間部および前記補助操作部を介して弁棒に伝達することにより、前記弁棒を回転させて、前記弁体を弁棒と平行な方向に移動させることを特徴とする弁装置の操作方法。
【請求項６】
前記補助操作部と前記中間部を凹凸嵌合させる請求項５に記載の弁装置の操作方法。
【発明の詳細な説明】
【技術分野】
【０００１】
本発明は、管体内での流体の流動を制御する弁装置およびその操作方法に関するものである。
【背景技術】
【０００２】
弁装置は、工場内などに配置された流体（液体、気体）を輸送するためのパイプライン（管体）において、このパイプラインを遮断するように必要箇所に配置されている。例えば、タンクの入り口に配置された弁装置は、弁体を開閉することにより、タンク内への流体の輸送、若しくは、タンク内に流れ込もうとする流体の遮断を行う。
【０００３】
図５に弁装置の一例を示す。この弁装置１０１は、チェッカープレート（滑り止め用の突状部が網目状に形成された鉄板）１３０で覆われた床下配管スペースを通る管体１０２を遮断するように配置されている。
【０００４】
弁装置１０１は、流体の通路１０８が設けられた弁箱１０３と、通路１０８を遮断可能に配設された弁体１０５と、弁棒１０４と、弁体１０５を操作するハンドル１０９とで主要部が構成されている。弁棒１０４は、通路１０８側端部に弁体１０５が取り付けられ、反通路１０８側端部は、弁箱１０３の外部へ延びており、ハンドル１０９が取り付けられている。
【０００５】
弁箱１０３と弁棒１０４との間には、通路１０８を流動する流体の外部への漏出を防止するための環状パッキン１０７が配設されている。
【０００６】
また、弁箱１０３の座部１０３ａにシール部材として弁座１０６が配設されている。
【０００７】
弁装置１０１は、ハンドル１０９を、白抜矢印Ｄや白抜矢印Ｅで示すように時計周り或いは反時計周りに回転させることにより、弁棒１０４を回転させて、弁体１０５を、弁棒１０４と平行な方向、つまり、通路１０８側（図面下部側）或いは反通路１０８側（図面上部側）に移動させることにより、弁体１０５を開閉する。
【０００８】
例えば、弁体１０５で通路１０８を遮断する場合、つまり弁体１０５を閉じる場合は、ハンドル１０９を、白抜矢印Ｄで示すように時計周りに回転させて、弁棒１０４を、ハンドル１０９と同方向に回転させる。この場合、弁体１０５が通路１０８側に移動するため、通路１０８が弁体１０５で遮断される（特許文献１参照）。
【特許文献１】特開２００６−５２７４９号公報
【発明の開示】
【発明が解決しようとする課題】
【０００９】
弁装置１０１は、弁体操作部であるハンドル１０９が、チェッカープレート１３０で覆われた配管スペースに配置されているため、作業員は、弁装置１０１を操作する際、配管スペースに手を入れてハンドル１０９を回転させなければならない。この場合、作業員の手がチェッカープレート１３０に接触して負傷するおそれがある。
【００１０】
本発明は上記の事情に鑑みてなされたものであり、容易に、かつ、安全に操作することができる弁装置およびその操作方法を提供することを目的とする。
【課題を解決するための手段】
【００１１】
上記の課題を解決するための本発明の弁装置は、流体の通路を遮断可能に配設された弁体と、その弁体を一端部に有する弁棒と、その弁棒の他端部に取り付けられ、弁棒と一体回転する補助操作部とを備えた弁装置であって、前記補助操作部に、反通路側に延びて前記弁棒を実質的に延長し、補助操作部と一体回転する中間部が取り付けられ、その中間部の先端に弁体操作部が設けられ、前記弁体操作部の回転力が、前記補助操作部および前記中間部を介して弁棒に伝達されて、前記弁体が弁棒と平行な方向に移動するようにしたことを特徴とする。
【００１２】
この弁装置の場合、弁体操作部を、従来よりも弁体から離隔させることができるため、弁装置を、従来よりも離隔した位置から操作することができる。
【００１３】
補助操作部や弁体操作部としては、例えば、環状のハンドルを使用することができる。補助操作部を環状のハンドルとする場合、中間部の形状を、円筒状などの加工が容易な形状にすることができるため、中間部の加工性が向上する。また、弁体操作部を環状のハンドルとすると、弁体操作部を回転させやすくなるため、弁装置の操作性が向上する。
【００１４】
補助操作部と中間部の取り付けは凹凸嵌合とするのが望ましい。この場合、補助操作部への中間部の取り付けが容易になるため、弁装置の組付性が向上する。また、嵌合作業を行うための構造は、突起や溝などの簡易な形状で良いため、補助操作部と中間部の加工性も向上する。
【００１５】
上記の課題を解決するための本発明に係る弁装置の操作方法は、流体の通路を遮って配設された弁体と、その弁体を一端部に有する弁棒と、その弁棒の他端部に取り付けられ、弁棒と一体回転する補助操作部とを備えた弁装置の操作方法であって、前記補助操作部に、反通路側に延びて前記弁棒を実質的に延長し、補助操作部と一体回転する中間部を取り付け、その中間部の先端に弁体操作部を設け、この弁体操作部を回転させて、その回転力を前記中間部および前記補助操作部を介して弁棒に伝達することにより、前記弁棒を回転させて、前記弁体を弁棒と平行な方向に移動させることを特徴とする。
【００１６】
この弁装置の操作方法であると、例えば、弁装置が、チェッカープレートで覆われている配管スペースに配置されている場合に、弁体操作部を有する中間部を補助操作部に取り付けることにより、弁体操作部を配管スペースの外部へ突出させることができる。このため、弁体操作部の周辺は、チェッカープレートがない状態となるため、作業員は弁体操作部を容易に操作することができる。さらに、弁体操作部の周辺にチェッカープレートがない状態となることから、作業員の手が弁体操作部の操作時にチェッカープレートに接触して負傷することがない。このため、作業員は、弁体操作部を安全に操作することができる。
【００１７】
また、この弁装置の操作方法では、弁装置の操作が必要な場合にのみ、中間部および弁体操作部を使用するため、弁棒を短くするなどして弁装置をコンパクト化できる。このため、作業員が弁装置に接触して負傷する可能性を低減することができる。
【００１８】
補助操作部と中間部は凹凸嵌合によるのが望ましい。この場合、補助操作部への中間部の取り付けが容易になるため、弁装置の操作が必要な際、中間部を補助操作部に取り付けて、弁装置を即座に操作することができる。
【発明の効果】
【００１９】
本発明の弁装置は、弁体操作部を従来よりも弁体から離隔させることができるため、弁装置を、従来よりも離隔した位置から操作することができる。この場合、弁装置を、作業員の作業が困難となる機械の内部などに配置する必要がある場合でも、作業員は、弁体操作部を容易に操作することができる。
【００２０】
本発明の弁装置の操作方法では、弁装置が、例えば、チェッカープレートで覆われている配管スペースや機械の内部など作業員の操作が困難である場所に配置されている場合に、弁体操作部を設ける中間部を補助操作部に取り付けることにより、弁体操作部を機械の外部に突出させることができる。このため、弁体操作部の周辺は、障害物（チェッカープレートや機械の内部部品など）がない状態とすることができるため、作業員は弁体操作部を容易に操作することができる。さらに、弁体操作部の周辺は障害物がない状態となるため、作業員の手が弁体操作部の操作時に障害物に接触して負傷することがない。このため、作業員は弁体操作部を安全に操作することができる。
【００２１】
さらに、中間部および弁体操作部は、弁体操作部の操作が必要な場合にのみ使用するため、弁棒を短くするなどして弁装置をコンパクト化できる。このため、作業員が弁装置に接触して負傷する可能性を低減することができる。
【発明を実施するための最良の形態】
【００２２】
以下に本発明の実施の形態について、添付の図面を参照して説明する。
【００２３】
図１に本発明の実施形態である弁装置を示す。この弁装置１は、チェッカープレート３０で覆われた床下配管スペースの管体２を遮断するように配置されている。
【００２４】
弁装置１は、流体（液体、気体）の通路８が設けられた弁箱３と、通路８を遮断可能に配設された弁体５と、弁棒４と、弁体５を操作するハンドル９と、弁体５の補助操作部である補助ハンドル１０とで主要部を構成する。弁棒４は、通路８側端部に弁体５が取り付けられ、反通路８側端部は、弁箱３の外部へ延びており、補助ハンドル１０が取り付けられている。
【００２５】
弁箱３と弁棒４との間には、通路８を流動する流体が外部へ漏出するのを防止するための環状パッキン７が配設されている。
【００２６】
通路８での流体の流動制御は、弁棒４を回転させ、これにより、弁体５を弁棒４と平行な方向に移動させて開閉することにより行う。なお、弁箱３の座部３ａにシール部材として弁座６が配設されている。
【００２７】
補助ハンドル１０の反通路８側端面は、図３の正面図に示すように、外周が波状に成形され、外周寄りの位置に環状の突状部１３を設け、中心部に円形の差込孔２０を形成する。
【００２８】
また、補助ハンドル１０の反通路８側端面には、円筒逆台形状を成す中間部１１を嵌合する。この中間部１１は、図４の正面図に示すように、通路８側端面に環状の凹溝１４を形成し、反通路８側端面に、図１に示すように、弁体５を開閉する弁体操作部として、環状のハンドル９を非分離に取付固定する。
【００２９】
さらに、中間部１１は、図２に示すように、通路８側端面の中心に軸部差込孔１５を形成し、この軸部差込孔１５に円柱状の差込用軸部１２を挿入する。この差込用軸部１２の通路側端部１２ａは、中間部１１から通路８側へ突出させる。中間部１１の差込用軸部１２における通路８側の端部１２ａは、補助ハンドル１０の差込孔２０に差し込む。中間部１１の凹溝１４には、補助ハンドル１０の突状部１３を嵌合する。
【００３０】
次に、弁装置１の操作方法について説明する。
【００３１】
まず、図２の白抜矢印Ｃで示すように、補助ハンドル１０の反通路８側端面に中間部１１の通路８側端面を反通路８側から嵌合して、図１の状態にする。この嵌合は、図２に示すように、補助ハンドル１０の差込孔２０に、中間部１１の軸部差込孔１５に差し込まれた差込用軸部１２における通路８側の端部１２ａを差し込み、これと同時に、中間部１１の通路８側端面に形成した凹溝１４に補助ハンドル１０の突状部１３を嵌合することにより行う。
【００３２】
次に、図１に示すように、中間部１１のハンドル９を白抜矢印Ａおよび白抜矢印Ｂに示すように、時計回り或いは反時計周りに回転させると、これに追従して、中間部１１および補助ハンドル１０が白抜矢印Ｘおよび白抜矢印Ｙに示すように、時計周り或いは反時計周りに回転する。この回転力が弁棒４に伝達されて、弁棒４が回転する。
【００３３】
これにより、弁体５は、弁棒４と平行な方向（図面の上部側および下部側）に移動して開閉し、通路８での流体の流動を制御する。
【００３４】
本実施形態の弁装置１は、図１に示すように、補助操作部である補助ハンドル１０と弁体操作部であるハンドル９との間に中間部１１を介在させるため、ハンドル９を、弁体５から離隔させることができる。この場合、作業員は、弁装置１を、従来よりも離隔した位置より操作することができる。このため、本実施形態のように、弁装置１を、作業員の操作が困難である配管スペースに配置する必要がある場合でも、作業員は、弁装置１を容易に操作することができる。
【００３５】
本実施形態の弁装置の操作方法では、補助ハンドル１０に中間部１１を取り付けるため、ハンドル９を配管スペースの外部へ突出させることができる。この場合、ハンドル９の周辺をチェッカープレート３０がない状態にできるため、作業員は、ハンドル９を容易に回転させて、弁体５を開閉することができる。また、作業員の手がハンドル９を回転させる際にチェッカープレート３０に接触して負傷することがないため、安全にハンドル９を回転させて弁体５を開閉することができる。
【００３６】
弁装置１は、操作しない状態では、補助ハンドル１０に中間部１１およびハンドル９を取り付ける必要がないため、弁棒４を短くするなどして、弁装置１をコンパクト化できる。このため、作業員が弁装置１に接触して負傷する可能性を低減することができる。また、弁装置１は、床下配管スペースに配置されているが、弁装置１を操作しない場合は、弁装置１の補助ハンドル１０は、チェッカープレート３０から突出することがないため、歩行中の作業員が補助ハンドル１０で躓くことがない。
【００３７】
さらに、本実施形態の弁装置１およびその操作方法のように、補助ハンドル１０の突状部１３を中間部１１の凹溝１４に嵌合する場合、補助ハンドル１０への中間部１１の取り付けが容易であるため、弁装置１の組付性が向上し、弁装置１の操作が必要な際、弁装置１を即座に操作することができる。また、上記した嵌合作業を行うための形状は、突状部１３や凹溝１４のように簡易な形状で良いため、補助ハンドル１０と中間部１１を加工する際の加工性も向上する。
【００３８】
なお、本実施形態では、弁体操作部や補助操作部を環状のハンドル（９、１０）とする場合、中間部１１の形状を、加工が容易な形状（本実施形態では円筒逆台形状）にすることができるため、中間部１１の加工性が向上する。また、弁体操作部を環状のハンドル９とするため、弁体操作部を回転させやすく、弁装置１の操作性が向上する。
【００３９】
以上、本発明の実施の形態について説明したが、これらは例示であり、特許請求の範囲に記載の技術的思想を逸脱しない範囲内で適宜に変更が可能である。
【００４０】
例えば、本実施形態では、補助ハンドル１０の反通路８側端面に突状部１３を設け、中間部１１の通路８側端面に凹溝１４を形成したが、補助ハンドル１０の反通路８側端面に凹溝を形成し、中間部１１の通路８側端面に突状部を設けるようにしてもよい。
【００４１】
また、本実施形態では、ハンドル９は、中間部１１に非分離に取付固定したが、ハンドル９と中間部１１を分離可能にし、弁装置１の操作時にのみ、ハンドル９を中間部１１に取り付けるようにしてもよい。
【図面の簡単な説明】
【００４２】
【図１】本発明の実施形態を示す断面図である。
【図２】本発明の実施形態を示すもので、図１に示す弁装置の操作方法を説明する断面図である。
【図３】図１に示す補助ハンドルの正面図（反通路側）である。
【図４】図１に示す中間部の正面図（通路側）である。
【図５】従来の弁装置を示す断面図である。
【符号の説明】
【００４３】
１                          弁装置
２                          管体
３                          弁箱
４                          弁棒
５                          弁体
６                          弁座
７                          パッキン
８                          通路
９                          補助ハンドル（補助操作部）
１０                        ハンドル（弁体操作部）
１１                        中間部
１２                        差込軸部
１２ａ                      通路側端部（差込軸部）
１３                        突状部（補助ハンドル）
１４                        凹溝（中間部）
１５                        軸部差込孔
２０                        差込孔
【図１】
2009299732.tif 000003
【図２】
2009299732.tif 000004
【図３】
2009299732.tif 000005
【図４】
2009299732.tif 000006
【図５】
2009299732.tif 000007